(57)【要約】      （修正有）【課題】仏壇の観音開きする前扉は、木製仏壇の内側板と前扉の両側板を金属製の蝶番で、両側板と中央板も異質の金属製の蝶番を用いる違和感があり、前扉を閉じたとき蝶番が露出して見え、内側板と前扉の両側板の間に隙間も生じ仏壇内部が透けて見え、蝶番の取り付け位置決めの際に微妙な調整を要し、内部に設けた盆板に供える花立や、お供物台等の仏具が前扉の両側板の端縁角部に接触して倒れる恐れがあるのでこれを改善する。【解決手段】両側板１８と両側板の間に収まる中央板１９から成る観音開きの前扉を、両側板の中央板寄りの上下端面をL型に切り欠いて段差部１９ｃを形成し、段差部の中央板寄りに枢軸２０を突設し、両側板の外側端面に盲孔２１を穿孔して上方の天板に突設した枢軸と、下方の天板に突設した枢軸を嵌挿する。【選択図】図３
2015205118.tif 000002
【特許請求の範囲】
【請求項１】
横断面コ字形の枠体で前方を解放した外側板８の上部開口を覆う上置き板９を設け、上置き板９の上面に上置き板の占める面積よりも大きな面積を有する天板１０の前端面を、外側板８の前部解放端面から突出させて載置する。
仏壇本体の仏具等の扉付き収納庫１１ａの上部開口を覆う天板１２を設け、天板１２の上面に出し入れ自在な盆板１３を設けると共に、天板１２の前面隅角部に枢軸１５を上向きに、天板１０の前面隅角部に枢軸１６を下向きにして同一垂線上に突設する。
仏壇本体１１に観音開きに取り付け外側板８の前部開口を覆う前扉１７は、左右の両側板１８と両側板の間に収まる中央板１９とを連結し、両側板１８を中央板寄りの上下端面からL型に切り欠いて段差部１８ｃを形成し、段差部の中央板寄りに枢軸２０を突設すると共に両側板の外側端面に盲孔２１を穿孔し、盲孔２１に天板１２に突設した枢軸１５と、天板１０に突設した枢軸１６を嵌挿する。
中央板は本体１９Ａと、本体の上下端面に嵌着する縁板１９Ｂとから成り、本体の両側板１８寄り上下端面に盲孔２２を穿孔して縁板の端面に設けた突軸２３を嵌め込み一体的に嵌着する。
縁板１９Ｂの両側板１８寄り先端部をＬ型に切り欠いて段差部１９ｃを形成し、段差部の先端面を両側板に設けた段差部１８ｃとの間に間隔Ｓ保持して当接させ、段差部１９c寄りに両側板１８に突設した枢軸２０を嵌挿する盲孔２４を穿孔して成る仏壇本体と前扉の連結構造。
【請求項２】
外側板８の前部開口を覆う前扉１７を、仏壇本体１１に観音開きに取り付ける両側板１８及び両側板に連結する中央板１９と、両側板及び中央板の横巾と同じ横巾を有する側板２５とから構成し、側板の外側端部に穿孔した盲孔２６に、天板１２に突設した枢軸１５と、天板１０に突設した枢軸１６を嵌挿して成る請求項１記載の仏壇本体と前扉の連結構造。
【発明の詳細な説明】
【技術分野】
【０００１】
本発明は仏壇本体と前扉の連結構造に関するもので、外部から望見される蝶番を用いないで連結することを特徴とし、前扉を開閉したとき仏壇本体と折り畳み自在な前扉の各部材間の縦方向の端部が重なり合って蝶番を用いることから生ずる隙間がなくすることを目的とする。
【背景技術】
【０００２】
図１７は従来の仏壇を示す正面図であり、観音開きする縦長四片の板体からなる前扉１を閉じた状態であり、仏壇本体２の内側板３と、前扉１の両側板１aの端縁とを金属製の上下４対の蝶番４を用いて開閉自在に連結すると共に、前扉１を開けた状態を示す図１８のように、前扉１の中央板１ｂと両側板１aとを上下４対の蝶番５を用いて開閉自在に連結している。
【０００３】
従来の仏壇では、前扉１を閉じた場合４対の蝶番４が露出して見え且つ、仏壇本体２の内側板３と前扉１の両側板１aとの間に隙間６を生ずる。
【０００４】
また、前扉１を開けた場合、一対の中央板１ｂと両側板１a相互を連結する上下４対の蝶番５と共に、前記４対の蝶番４も露出して見え且つ、仏壇本体２の内側板３と前扉１の両側板１aとの間に隙間６を生ずる。更に、観音開きする前扉１同士と、前扉１と仏壇本体２の内側板３とを連結する際に、蝶番４及び蝶番５の取り付け位置決めの際に微妙な調整を要し、また仏壇内部に出し入れ自在に設けている盆板７に供えた花立てや、お供物台等の仏具が前扉１の両側板１aの端縁角部に接触して倒れる恐れがある。
【０００５】
また、木質の仏壇本体２と金属製の蝶番４や蝶番５との異質性からする違和感がある。
【０００６】
特許文献１には、折り畳み扉の端面に接する扉枠本体部の外側に、閉塞時の折り畳み扉の端面と扉枠本体部との隙間を覆う扉隙間覆い部を設けることで、折り畳み扉と扉枠との間に形成される隙間が正面から見えないように構成した折り畳み扉の扉枠が開示されている。
【先行技術文献】
【特許文献】
【０００７】
【特許文献１】特開平９−２９６６５５号公報
【発明の概要】
【発明が解決しようとする課題】
【０００８】
従来の仏壇の場合に生ずる上記の技術的、装飾的な隘路を解決するため、本発明は以下のような手段を講じた。
【０００９】
平面視において横断面コ字形の枠体で前方を解放した外側板８の上部開口を覆う上置き板９を設ける。
上置き板９の上面に、上置き板９の占める面積よりも大きな面積を有する天板１０の前端面１０aを、外側板８の前部解放端面８aから突出させて載置する。
【００１０】
上置き板９の前端面９aは外側板８の前部解放端面８aと略同一平面上に揃える。
【００１１】
仏壇本体１１の下部は仏具等の扉付き収納庫１１aであり、その上部開口を覆う天板１２を載せる。
【００１２】
天板１２の上面に出し入れ自在な盆板１３を載せると共に、仏壇本体１１内に盆板１３の上面と間隔を保持して底板１４を設ける。
【００１３】
天板１２の前面隅角部に枢軸１５上向きに、天板１０の前面隅角部に枢軸１６を下向きにして、同一垂線上にそれぞれ突設する。
【００１４】
本発明の最も特徴とする前扉１７の構成は以下の通りである。即ち、外側板８の前部開口を覆う前扉１７は４枚の縦長矩形板から成り、２枚の両側板１８と、両側板１８の間に収まる２枚の中央板１９とから構成され、両側板１８は天板１０と天板１２に、中央板１９は両側板１８に、それぞれを観音開きに連結している(図１、図２)。
【００１５】
背面視(図４)平面視(図５)及び正面視(図６)において、両側板１８は正面を平板部１８aに、背面は途中から中央板１９へ向かって下がる傾斜部１８bに切削すると共に傾斜部１８bの端面からL型に切り欠いて段差部１８cをそれぞれ形成し且つ段差部１８cから中央板１９側へ向け背面を両側板１８の厚みより薄い平板部１８dに切削し、切り欠いた平板部１８dの先端上下にそれぞれ枢軸２０を突設すると共に、両側板１８の基端部上下に天板１０に突設した枢軸１６を挿通する盲孔２１と、天板１２に突設した枢軸１５を挿通する盲孔２１をそれぞれ穿孔する(図３、図４)。
【００１６】
平面視(図３、図４、図５)正面視(図７)及び背面視(図８)において、中央板１９は本体１９Ａと、本体１９Ａの上下端面に嵌着する２枚の縁板１９Ｂとから成り、本体１９Ａの正面を平板部１９aに、背面を途中から両側板１８側へ向かって下がる傾斜部１９bに切削すると共に本体１９Ａの上下端面に盲孔２２を穿孔する。
【００１７】
縁板１９Ｂの本体１９Ａに対向する端面に本体１９Ａに設けた盲孔２２に嵌着する突軸２３を突設すると共に平面視(図５)のように、先端部をＬ型に切り欠いて段差部１９cを形成し、突軸２３を設けた端面の段差部１９c寄りに両側板１８に突設した枢軸２０に嵌め込む盲孔２４を穿孔する。本体１９Ａの上下端面に嵌着する２枚の縁板１９Ｂを嵌脱自在としたのは盲孔２４に枢軸２０を嵌め込むとき、枢軸２０が邪魔にならないようにするためである。
【００１８】
図１、図４及び図５に示すように前扉１７を閉じると、中央板の本体１９Ａの平板部１９aと両側板１８の平板部１８dが隙間なく重なり合って図４の斜線部分に示すように仏壇本体１１の内部を隠してしまうのである。
【００１９】
また、図３と図８に示すように、両側板１８の段差部１８cの半ば迄と、中央板の縁板１９Ｂの段差部１９cの半ば迄が間隔Sを保持して重なり合うようにしたのは、中央板１９同士の対向する端面が隙間なく閉じるようにすることと、両側板１８の傾斜部１８bの端面と中央板１９の段差部１９cが相互に干渉することなく前扉１７がスムーズに開閉できるようにするためである(図１)。
【００２０】
また、図３の平面視に示すように両側板１８を開けたとき、両側板１８の基端角部と盆板１３の間に隙間Gが生成され盆板１３を出し入れの際に、その基端角部が盆板１３と接触しないので盆板１３に載せている花立てや供物台が触れて倒れる恐れがない特徴がある。
【００２１】
図１４は、前扉の他の実施例を示す正面図、図１５は、同、平面図であり、図１６は前扉の開閉状態を示す平面図である。
正面視及び平面視において前記した観音開きの両側板１８と中央板１９に係る片方の構成に、新たな単板からのみ成る側板２５を他方に加えて他の実施例としたのである。即ち、新たな側板２５は、前記両側板１８に中央板１９を加えた巾と同一の横巾を有し、縦長方形の板体の基端部２５a上面に前記の天板９に嵌着した枢軸１６と連通する盲孔２６と、天板１２に突設した枢軸１５と連通する盲孔２６を、それぞれ穿孔し枢軸１５及び枢軸１６を嵌め込んで開閉自在に連結したのである。
【発明の効果】
【００２２】
本発明は蝶番を用いて前扉を連結しないことを最も特徴とし、従って従来の仏壇のように厚みを有する蝶番を取り付けることで生ずる隙間Ｓがなく仏壇の内部が露出して外部から見えない。
【００２３】
また、前扉１７同士と前扉１７と仏壇本体２の内側板３とを連結する際に、取り付け位置決めの際に微妙な調整を要せず、取り付け作業を簡単且つ迅速にできる。
【００２４】
間隔Gが形成されているため、盆板１３に供えた花立てや、お供物台等の仏具が前扉１７を構成する両側板１８aの端縁角部に接触して倒れる恐れがない。
【発明を実施するための最良の形態】
【００２５】
図１は仏壇の前扉１を閉じた状態を示す正面図であり、図２は仏壇の前扉１１を開けた状態を示す正面図である。
仏壇本体１１は仏具等の扉付き収納庫１１aに設けられている上部天板１２に載せ置きして連結されている。
【００２６】
図３の前扉１７の開閉状態を示す平面図であり、横断面コ字形の枠体で前方を解放した外側板８の上部開口を覆う上置き板９の上面に、上置き板９の占める面積よりも大きな面積を有する天板１０の前端面１０aを、外側板８の前部解放端面８aから突出させて載置し、上置き板９の前端面９aを外側板８の前部解放端面８aと略同一平面上に揃える。
【００２７】
天板１２の上面に出し入れ自在な盆板１３を載せると共に、仏壇本体１１内に盆板１３の上面と間隔を保持して底板１４を設ける。
天板１２の前面隅角部に枢軸１５を、天板１０の前面隅角部に枢軸１６を、同一垂線方向にそれぞれ突設する。
【００２８】
本発明の最も特徴とする前扉１７の連結構成は以下の通りであり、図３、図４の前扉１７を閉じた状態を示す正面図及び図５の同、平面図に示すように、
外側板８の前部開口を覆う前扉１７は４枚の縦長矩形板から成り、２枚の両側板１８と、両側板１８の間に収まる２枚の中央板１９とから構成され、両側板１８は天板１０と天板１２に、中央板１９は両側板１８に、それぞれを開閉自在に連結している(図１、図２、図３、図５)。
【００２９】
正面視(図４)平面視(図３、図５)及び両側板１８を示す正面図 (図６)において、両側板１８は正面を平板部１８aに、背面は途中から中央板１９側へ向かって下がる傾斜部１８bに切削すると共に傾斜部１８bの端面からL型に切り欠いて段差部１８cをそれぞれ形成し且つ段差部１８cから中央板１９側へ向け背面を両側板１８の厚みより薄い平板部１８dに切削し、切り欠いた平板部１８dの先端上下にそれぞれ枢軸２０を突設すると共に、両側板１８の基端部上下に天板１０に突設した枢軸１６を挿通する盲孔２１と、天板１２に突設した枢軸１５を挿通する盲孔２１を穿孔する(図３、図４)。
【００３０】
正面視(中央板１９を本体１９Ａと縁板１９Ｂに分離した状態を示す正面図(図７)及び背面視(両側板１８と中央板１９を分離した状態を示す正面図(図８)において、中央板１９は本体１９Ａと、本体１９Ａの上下端面に嵌脱自在な２枚の縁板１９Ｂとから成り、本体１９Ａの正面を平板部１９aに、背面を途中から両側板１８側へ向かって下がる傾斜部１９bに切削すると共に本体１９Ａの上下端面に盲孔２２を穿孔する。
【００３１】
縁板１９Ｂの一方の端面に本体１９Ａに設けた盲孔２２に嵌め込む突軸２３を突設すると共に平面視(図５)のように、先端部をＬ型に切り欠いて段差部１９cを形成し、突軸２３を設けた端面の段差部１９c寄りに両側板１８に突設した枢軸２０に嵌め込む盲孔２４を穿孔する。
【００３２】
図１、図４及び図５に示すように前扉１７を閉じると、中央板１９の本体１９Ａの平板部１９aと両側板１８の平板部１８dが隙間なく重なり合って図４に付した斜線で示すように仏壇本体１１の内部を隠してしまうのである。また、図３と図８に示すように、両側板１８の段差部１８cの半ば迄と辺板１９Ｂの段差部１９cの半ば迄が間隔Sを保持して重なり合うようにしたのは、中央板１９同士の対向する端面が隙間なく閉じることと、両側板１８の傾斜部１８bの端面と中央板１９の段差部１９cが相互に干渉することなく前扉１７をスムーズに開閉できるようにするためである(図８)。
【００３３】
また、図３の平面視に示すように両側板１８を開けたとき、その基端部と盆板１３の間に隙間Gが生成されている特徴がある。
【００３４】
図１４は、前扉の他の実施例を示す正面図、図１５は、同、平面図であり、正面視及び平面視において前記した片側の観音開きの両側板１８と中央板１９に係る構成において、新たな単板から成る側板２５を組み付けた６枚２組の構成とした。
【００３５】
新たな側板２５は、前記両側板１８と中央板１９の巾を加えた巾と同一の横巾を有し、縦長方形の板体の基端部２５a上面に前記の天板１０に垂設した枢軸１６を挿通する盲孔２６を穿孔し、天板１２に突設した枢軸１５を挿通する盲孔２６を、それぞれ穿孔し枢軸１５を嵌め込んで連結している。
【００３６】
平面視において横断面コ字形の枠体で前方を解放した外側板８の上部開口を覆う上置き板９を設ける。
【００３７】
上置き板９の上面に、上置き板９の占める面積よりも大きな面積を有する天板１０の前端面１０aを、外側板８の前部解放端面８aから突出させて載置する。
【００３８】
上置き板９の前端面９aは外側板８の前部解放端面８aと略同一平面上に揃える。
【００３９】
仏壇本体１１の下部は仏具等の扉付き収納庫１１aであり、その上部開口を覆う天板１２を載せる。
【００４０】
天板１２の上面に出し入れ自在な盆板１３を載せると共に、仏壇本体１１内に盆板１３の上面と間隔を保持して底板１４を設ける。
【００４１】
天板１２の前面隅角部に枢軸１５を、天板１０の前面隅角部に枢軸１６を、同一垂線上にそれぞれ突設する。
【００４２】
本発明の最も特徴とする前扉１７の構成は以下の通りである。即ち、外側板８の前部開口を覆う前扉１７は４枚の縦長矩形板から成り、２枚の両側板１８と、両側板１８の間に収まる２枚の中央板１９とから構成され、両側板１８は天板１０と天板１２に、中央板１９は両側板１８に、それぞれを開閉自在に連結している(図１、図２)。
【００４３】
背面視(図４)平面視(図５)及び正面視(図６)において、両側板１８は正面を平板部１８aに、背面は途中から中央板１９へ向かって下がる傾斜部１８bに切削すると共に傾斜部１８bの端面からL型に切り欠いて段差部１８cをそれぞれ形成し且つ段差部１８cから中央板１９側へ向け背面を両側板１８の厚みより薄い平板部１８dに切削し、切り欠いた平板部１８dの先端上下にそれぞれ枢軸２０を突設すると共に、両側板１８の基端部上下に天板１０に突設した枢軸１６を挿通する盲孔２１と、天板１２に突設した枢軸１５を挿通する盲孔２１をそれぞれ穿孔する(図３)。
【００４４】
正面視(図７)及び背面視(図８)において、中央板１９は本体１９Ａと、本体１９Ａの上下端面に着脱自在な２枚の辺板１９Ｂとから成り、本体１９Ａの正面を平板部１９aに、背面を途中から両側板１８へ向かって下がる傾斜部１９bに切削すると共に本体１９Ａの上下端面に盲孔２２を穿孔する。
辺板１９Ｂの一方の端面に本体１９Ａに設けた盲孔２２に嵌め込む突軸２３を突設すると共に平面視(図５)のように、先端部をＬ型に切り欠いて段差部１９cを形成し、突軸２３を設けた端面の段差部１９c寄りに両側板１８に突設した枢軸２０に嵌め込む盲孔２４を穿孔する。
【００４５】
図１、図４及び図５に示すように前扉１７を閉じると、中央板１９の本体１９Ａの平板部１９aと両側板１８の平板部１８dが隙間６なく重なり合って図４の斜線で示すように仏壇本体１１の内部を隠してしまうのである。また、図１と図８に示すように、両側板１８の段差部１８cの半ば迄と辺板１９Ｂの段差部１９cの半ば迄が間隔を保持して重なり合うようにしたのは、中央板１９同士の対向する端面が隙間なく閉じることと、両側板１８の傾斜部１８bの端面と中央板１９の段差部１９cが相互に干渉することなく前扉１７がスムーズに開閉できるようにするためである。(図１)また、図３の平面視に示すように両側板１８を開けたとき、その基端部と盆板１３の間に隙間が生成されている特徴がある。
【００４６】
図１４は、前扉の他の実施例を示す正面図、図１５は、同、平面図であり、正面視及び平面視において前記した片側の観音開きの両側板１８と中央板１９に係る同一の構成において、他側に新たな単板からのみ成る側板２５を設けた３枚１組の構成である。即ち、新たな側板２５は、前記両側板１８に中央板１９を加えた巾と同一の横巾を有し、縦長方形の板体の基端部２５a上面に前記の天板１０に垂設した枢軸１６を挿通する盲孔２６を、基端部２５a下面に天板１２に突設した枢軸１５と連通する盲孔２６をそれぞれ穿孔し、枢軸１６と枢軸１５を嵌め込んで前扉を仏壇本体１１に開閉自在に連結している。
【図面の簡単な説明】
【００４７】
【図１】本発明に係る仏壇本体２の前扉１７を閉じた状態を示す正面図。
【図２】前扉１７を開けた状態を示す正面図。
【図３】前扉１７の開閉状態を示す平面図。
【図４】前扉１７を閉じた状態を示す背面図。
【図５】同、平面図。
【図６】本発明に係る両側板１８を示す正面図。
【図７】本発明に係る中央板１９を分離した状態を示す正面図。
【図８】両側板１８と中央板１９の本体１９Ａ及び辺板１９Ｂの連結状態を示す正面図。
【図９】両側板１８と中央板１９の本体１９Ａ及び辺板１９Ｂの連結状態を示す背面図。中央板１９の連結状態を示す背面図。
【図１０】両側板１８と中央板１９の連結状態を示す背面図。
【図１１】同、底面図。
【図１２】両側板１８と中央板１９の連結状態を示す正面図
【図１３】同、平面図。
【図１４】前扉２５に係る他の実施例を示す正面図。
【図１５】同、平面図。
【図１６】前扉２５の開閉状態を示す平面図。
【図１７】従来の仏壇の前扉を閉じた状態を示す正面図。
【図１８】従来の仏壇の前扉を開けた状態を示す正面図。
【符号の説明】
【００４８】
８  外側板  ８a 前部解放端面  ９  上置き板  ９a  前端面  
１０．１２  天板
１１  仏壇本体  １１a  仏具等の扉付き収納庫  １３  盆板  
１５．１６．２０  枢軸  １７  前扉  １８  両側板  １９  中央板
１９Ａ  中央板本体  １９Ｂ  縁板  １９c 段差部  
２１．２２．２４．２４．２６  盲孔  ２３  突軸  ２５  側板  
Ｓ  隙間  Ｇ  間隔
【図１】
2015205118.tif 000003
【図２】
2015205118.tif 000004
【図３】
2015205118.tif 000005
【図４】
2015205118.tif 000006
【図５】
2015205118.tif 000007
【図６】
2015205118.tif 000008
【図７】
2015205118.tif 000009
【図８】
2015205118.tif 000010
【図９】
2015205118.tif 000011
【図１０】
2015205118.tif 000012
【図１１】
2015205118.tif 000013
【図１２】
2015205118.tif 000014
【図１３】
2015205118.tif 000015
【図１４】
2015205118.tif 000016
【図１５】
2015205118.tif 000017
【図１６】
2015205118.tif 000018
【図１７】
2015205118.tif 000019
【図１８】
2015205118.tif 000020
【手続補正書】
【提出日】平成27年6月15日(2015.6.15)
【手続補正１】
【補正対象書類名】明細書
【補正対象項目名】全文
【補正方法】変更
【補正の内容】
【発明の詳細な説明】
【技術分野】
【０００１】
本発明は仏壇本体と前扉の連結構造に関するもので、外部から望見される蝶番を用いないで連結することを特徴とし、前扉を閉じたとき仏壇本体に取り付けた前扉の連結部材間に隙間が生じないようすることを目的とする。
【背景技術】
【０００２】
図17は従来の仏壇を示す正面図であり、観音開きする縦長矩形の板体からなる前扉1を閉じた状態であり、仏壇本体2の内側板3と、前扉1の両側板1ａの端縁とを金属製の上下4対の蝶番4を用いて観音開きに連結すると共に、前扉1を開けた状態を示す正面図18のように、前扉1の中央板1ｂと両側板1ａとを上下4対の蝶番5を用いて開閉自在に連結している。
【０００３】
従来の仏壇では、前扉1を閉じた場合4対の蝶番4が露出して見え且つ、仏壇本体2の内側板3と前扉1の両側板1ａとの間に隙間6が生ずる。
【０００４】
また、前扉1を開けた場合、一対の中央板1ｂと両側板1ａ相互を連結する上下４対の蝶番5と共に前記４対の蝶番4も露出して見え且つ、仏壇本体2の内側板3と前扉1の両側板1ａとの間に隙間6を生ずる。更に、観音開きする前扉1の各部材と、前扉1と仏壇本体2の内側板3とを連結する際に、蝶番4及び蝶番5の取り付け位置決めに微妙な調整を要し、また仏壇内部に出し入れ自在に設けている盆板7に供えた花立てや、お供物台等の仏具が前扉1の両側板1ａの端縁角部に接触して倒れる恐れがある。
【０００５】
また、木質の仏壇本体2と金属製の蝶番4や蝶番5との異質性からする違和感がある。
【０００６】
特許文献1には、折り畳み扉の端面に接する扉枠本体部の外側に、閉塞時の折り畳み扉の端面と扉枠本体部との隙間を覆う、扉隙間覆い部を設けることで、折り畳み扉と扉枠との間に形成される隙間が正面から見えないように構成した折り畳み扉の扉枠が開示されている。
【先行技術文献】
【特許文献】
【０００７】
【特許文献１】特開平９−296655号公報
【発明の概要】
【発明が解決しようとする課題】
【０００８】
従来の仏壇の場合に生ずる上記の技術的、装飾的な隘路を解決するため、本発明は以下のような手段を講じた。
【課題を解決するための手段】
【０００９】
請求項1に係る発明は、
仏壇本体11に観音開きに取り付けた、外側板8の前部開口を覆う前扉17を、
平面視において横断面コ字形の枠体で前方を解放した外側板8の上部開口を覆うと共に外側板8に固定した上置き板9と、
上置き板9の上面に上置き板9の占める面積よりも大きな面積を有する天板10を載置し外側板8の前部開放端面8ａから突出させると共に、天板10の突出面隅角部に枢軸16を下向きに突設し、
【００１０】
上置き板9の前端面9ａを外側板8の前部開放端面8ａと略同一平面上に揃え、
【００１１】
仏壇本体11の下部に仏具等の扉付き収納庫11ａを設け、その上部開口を覆う
天板12の上面に外側板8の下端枠を載置すると共に、天板12の上面と間隔を保持して出し入れ自在な盆板13を設け、
【００１２】
天板12の上面に出し入れ自在な盆板13を載せると共に、仏壇本体11内に盆板13の上面と間隔を保持して底板14を設け、
【００１３】
天板12の上面隅角部に枢軸15を上向きに突設し、天板10の突出面隅角部に下向きに突設した枢軸16と同一垂線上に突設し、
【００１４】
更に本発明の最も特徴とする前扉17の構成を、
外側板8の前部開口を覆う前扉17は縦長矩形板からなる、左右2枚の両側板18と、両側板18の間に収まる2枚の中央板19とを連結して構成し、両側板18を天板10と天板12間に観音開きに連結し、中央板19を両側板18に、相対的に揺動可能に連結し、「（図1）（図2）」。
【００１５】
「背面図（図4）、平面図（図5）及び正面図（図6）」に示すように、両側板18の正面を平板部18ａに、背面を途中から中央板19へ向かって下がる傾斜部18ｂに形成し、傾斜部18ｂを途中から先端面へかけて中央板19寄りを正面視においてＬ型に切り欠いて段差部18ｃを形成し且つ、平面視において段差部18ｃから中央板19側へ向け背面を両側板18の基部よりも肉厚の薄い平板部18ｄに切り欠いて延ばし、平板部18ｄの先端部に互いに背向する枢軸20を突設すると共に、両側板18の上下端面の外縁寄りに盲孔21を穿孔し、盲孔21に天板10に突設した枢軸16と、天板12に突設した枢軸15をそれぞれ嵌挿して両側板18を天板10と天板12の間に観音開きに連結し、
【００１６】
「平面図（図3）と（図5）、正面図（図7）及び背面図（図8）と（図4）」に示すように、中央板19は本体19Ａと、本体19Ａの上下端面に着脱可能に嵌着する2枚の縁板19Ｂとから形成し、本体19Ａの正面を平板部19ａに、背面を中央板19が両側板の傾斜部18ｂの先端面と対向する面を、平面視において背面側から半ばまでをＬ型に切り欠いて段差部19ｃと立ち上がり部19dを形成し、本体19Ａの上下端面に盲孔22を穿孔し、縁板19Ｂが本体19Ａの上下端面に対向する面に突設した突軸23を盲孔22に嵌挿して本体19Ａに縁板19Ｂを着脱可能に嵌着し、
【００１７】
縁板19Ｂが本体19Ａの上下端面に対向する面に盲孔24を穿孔し、両側板18の平板部18ｄに突設した枢軸20を盲孔24にそれぞれ嵌挿して両側板18と中央板19を相対的に揺動可能に連結し、且つ、盲孔24に枢軸20を嵌め込むとき、枢軸20が邪魔にならないように縁板19Ｂを着脱可能とし、
【００１８】
両側板18と中央板19が平面視において外側板8の前部開口を閉じたとき、段差部19ｃの立ち上がり面19ｄと傾斜部18ｂの先端面が対向する面の間に間隔Ｓが保持され、且つ間隔Ｓを両側板18の傾斜部18ｂの先端部と、中央板19の段差部19ｃの先端部が重なり合って正面視において仏壇本体の内部を隠し見えないようにしたのであり、重なり合った状態を斜線で示している。（図4）
【００１９】
「正面図（図1）、平面図（図3）、平面図（図5）及び背面図（図4）」に示すように、中央板１９の対向する端面同士が隙間なく閉じるようにし、更に両側板18の傾斜部18ｂの先端面と、中央板の段差部19Ｃが相互に干渉することなく前扉17がスムーズに開閉できるようにしている。
【００２０】
「平面図（図3）に図示の隙間Ｇは、平面視において両側板18を開閉したとき、両側板18の基端角部と盆板13の間に隙間Ｇが保持され盆板13の出し入れの際に、基端角部が盆板13と接触しないため盆板13に載せている花立てや供物台が触れて倒れる恐れがないようにした。
【００２１】
請求項2に係る発明は、
仏壇本体11に観音開きに取り付けた、外側板8の前部開口を覆う前扉27を、
「正面図（図1４）、連結状態を示す平面図（図15）及び開閉状態を示す平面図（図16）」に示すように、
一方の側板28に相対的に揺動可能に連結する中央板29及び、それらの横幅を加えた横幅を有する他方の側板30とから３枚１組で構成し、
縦長矩形板の一方の側板28の上下端面から外縁寄りに沿う方向へ穿孔した盲孔21に、天板10の下面隅角部に下向きに突設した枢軸16を嵌挿すると共に、天板12の上面隅角部に上向きに突設した枢軸15を盲孔21に嵌挿して側板28を天板10と天板12の間に観音開きに連結し、
【００２２】
他方の側板30の上下端面から外側縁に沿う方向へ穿孔した盲孔31に天板10の下面隅角部に下向きに突設した枢軸16を嵌挿すると共に、天板12の上面隅角部に上向きに突設した枢軸15を盲孔31に嵌挿して側板30を天板10と天板12の間に観音開きに連結し、
【００２３】
側板28の前面を正面視において平板部28ａに、背面を途中から中央板29側へ向けて下がる傾斜部28ｂに形成し、（図14において点線で表示）傾斜部28ｂの上下端面から中央板29寄りを正面視においてＬ型に切り欠いて段差部28ｃを形成し、段差部28ｃから中央板29側へ向け背面を側板28の基部よりも肉厚の薄い平板部28ｄに切り欠いて延ばし、その先端面と対向する中央板29の背面部分を平面視において半ば迄をＬ型に切り欠いて段差部29ｃと立ち上がり面29dを形成し、
【００２４】
平板部28ｄの先端部に枢軸20突設し、中央板29の立ち上がり面29d寄りに嵌挿して側板28と中央板29を相対的に揺動可能に連結し、
側板28と中央板29及び他方の側板30が平面視において外側板8の前部開口を閉じたとき、中央板29の段差部29ｃの立ち上がり面29ｄと側板28の傾斜部28ｂの先端面が対向する間に間隔Ｓが保持され、且つ間隔Ｓを側板28の傾斜部28ｂの先端部と中央板29の段差部29ｃの先端部が重なり合って正面視において仏壇本体11の内部が見えないようにしたことを特徴とする、
仏壇本体11と前扉の連結構造である。
【発明の効果】
【００２５】
本発明は仏壇本体に取り付ける前扉の各構成部材を蝶番を用いないで連結することを目的とし、仏壇本体と両側板と中央板の連結部分に立て方向の隙間を生じる恐れがない為、仏壇内部が外部から望見されず、また仏壇本体の前面が凹凸のない装飾的にすっきりとした外観を呈する。
【００２６】
前扉１7同士又は前扉27同士を、仏壇本体11の内側板3に連結する際に、取り付け位置決めの微妙な調整を必要とせず取り付け作業を簡単且つ迅速に行える。
【００２７】
外側板8の前部開放端面８ａと両側板１８の基端間に、又は側板２８と側板２９との間に隙間Ｇが保持されているため、盆板13に供えた花立てや、お供物台等の仏具が前扉17を両側板18ａの端縁角部に接触して倒れる恐れがない。
【発明を実施するための最良の形態】
【００２８】
図1は仏壇の前扉17を閉じた状態を示す正面図であり、図2は前扉17を開けた状態を示す正面図である。
仏壇本体11は、下段の仏具等の扉付き収納庫１１ａに設けられている上部天板12に載せ置きして連結されている。
【００２９】
図3は前扉17の開閉状態を示す平面図であり、横断面コ字形の枠体で前方を解放した外側板8の上部開口を覆う上置き板9の上面に、上置き板9の占める面積よりも大きな面積を有する天板10の前端面10ａを外側板8の前部開放端面8ａから突出させて取り付け、上置き板9の前端面9ａを外側板8の前部開放端面8ａと略同一平面上に揃える。
【００３０】
天板12の上面に出し入れ自在な盆板13を載せると共に、仏壇本体11内に盆板13の上面と間隔を保持して底板14を設け、天板12の前面隅角部に枢軸15を、天板10の前面隅角部に枢軸16を、同一垂線方向にそれぞれ突設する。
【００３１】
本発明の最も特徴とする前扉17を構成する各部材は以下の通りであり、前扉17を閉じた状態を示す「正面図（図1）同、平面図（図５）」及び前扉17の開閉状態を示す「平面図（図３）」のように、
外側板8の前部開口を覆う前扉17は４枚の縦長矩形板から成り、２枚の両側板18と、両側板18の間に収まる２枚の中央板19とから構成され、両側板18は天板10と天板12に観音開きに連結され、中央板19は両側板18に相対的に搖動可能に連結されている。
【００３２】
「前扉17の開閉状態を示す平面図（図3）、前扉17を閉じた状態を示す正面図（図４）、同、平面図（図5）及び両側板18を示す正面図（図6）」において、両側板18の正面を平板部18ａに、背面を途中から中央板19側へ向かって下がる傾斜部18ｂに切削し、傾斜部18ｂの基端面から中央板19寄りの上下端面を正面視においてＬ型に切欠いて段差部18ｃと立ち上がり面18ｄを形成し、更に平面視において段差部18ｃから中央板19側へ向けて背面を両側板18の基端部の厚みより薄い肉厚の平板部18ｄに切削して延ばし、切り欠いた平板部18ｄの先端部に互いに背向する枢軸20を突設すると共に両側板18の基端部上下に天板10に突設した枢軸16を嵌挿する盲孔21と、天板12に突設した枢軸15を嵌挿する盲孔21を穿孔する。
【００３３】
「中央板19を本体１９Ａと縁板19Ｂに分離した状態を示す正面図（図7）、中央板19の背面に両側板18の背面を連結した状態を示す背面図（図8）」に示すように、中央板19を本体19Ａと、本体19Ａの上下端面に着脱可能に嵌着する2枚の縁板19Ｂとから形成すると共に、本体19Ａの正面を平板部19ａに形成し、本体19Ａの上下端面に盲孔22を穿孔する。
【００３４】
縁板19Ｂが本体19Ａの上下端面に対向する端面に、本体19Ａに設けた盲孔22に嵌める突軸23を突設すると共に、正面視において中央板19をＬ型に切り欠いて段差部19ｃと立ち上がり面19ｄを形成し、中央板19の両側板18寄りに両側板18の段差部18ｃに突設した枢軸20を嵌挿する盲孔２４を穿孔する。
【００３５】
「図１、図4及び図5」に示すように前扉17を閉じると、中央板19の本体19Ａの段差部19ｃの先端部と、両側板18の傾斜部１８ｂの先端部が重なり合い
且つ、傾斜部１８ｂの先端面と対向する立ち上がり面19ｄの間に間隔Ｓが保持され、前扉17を両側板18と中央板19を相対的に搖動可能に連結し相互に干渉することなくスムーズ開閉できるようにしたのであり、更に図4において一部の斜線で示すように仏壇本体11の内部を隠してしまうと共に中央板同士の対向する端面を隙間なく閉じるようにする為である。
【００３６】
図3の平面視に示すように、両側板18を開閉するとき、両側板18の基端部と外側板8との間に隙間Ｇを保持し盆板13の出し入れの際、盆板13に載せた花立てやお供物台等の仏具に接触して倒れないようにする為である。
【００３７】
「図14は本発明に係る他の実施例を示す前扉27の正面図、図１5は同平面図、図１6は前扉27の開閉状態を示す平面図である。」
【００３８】
仏壇本体11に観音開きに取り付けた、外側板8の前部開口を覆う前扉27を、
「正面図（図14）、連結状態を示す平面図（図15）及び開閉状態を示す平面図（図16）」のように、
一方の側板28に相対的に揺動可能に連結する中央板29及び、それらの横幅を加えた横幅を有する他方の側板30とから３枚１組で構成し、
縦長矩形板の一方の側板28の上下端面から外縁寄りに沿う方向へ穿孔した盲孔21に、天板10の下面隅角部に下向きに突設した枢軸16を嵌挿すると共に、天板12の上面隅角部に上向きに突設した枢軸15を盲孔21に嵌挿して側板28を天板10と天板12の間に観音開きに連結し、
【００３９】
他方の側板30の上下端面から外側縁に沿う方向へ穿孔した盲孔31に天板10の下面隅角部に下向きに突設した枢軸16を嵌挿すると共に、天板12の上面隅角部に上向きに突設した枢軸15を盲孔31に嵌挿して側板30を天板10と天板12の間に観音開きに連結し、
【００４０】
側板28の前面を正面視において平板部28ａに、背面を平面視において途中から中央板29側へ向けて下がる傾斜部28ｂに形成し、傾斜部28ｂの上下端面から中央板29寄りを正面視においてＬ型に切り欠いて段差部28ｃを形成し、段差部28ｃから中央板29側へ向け背面を側板28の基部よりも肉厚の薄い平板部28ｄに切り欠いて延ばし、その先端面と対向する中央板29の背面部分を平面視において半ば迄をＬ型に切り欠いて段差部29ｃと立ち上がり部29dを形成し、平板部28ｄの先端部の立ち上がり部29d寄りに互いに背向する枢軸20を突設して側板28と中央板29を相対的に搖動可能に連結し、
【００４１】
側板28と中央板29及び他方の側板30が平面視において外側板8の前部開口を閉じたとき、中央板29の段差部29ｃの立ち上がり面29ｄと側板28の傾斜部28ｂの先端が対向する部分に間隔Ｓが保持され、且つ間隔Ｓを側板28の傾斜部28ｂの先端部と中央板29の段差部29ｃの先端部が重なり合って正面視において仏壇本体11の内部が見えないようにしたことを特徴とする、
仏壇本体11と前扉の連結構造である。
【００４２】
請求項2に係る発明が請求項1に係る発明と相異する点は、請求項1における上置き板９を省略した点、両側板18を一方の側板28と相対的に揺動可能に連結する中央板29に代えた点、他方の側板30を天板10と天板12の間に観音開きに連結に直接連結するように替えた点である。
図14に示すように、外側板8の上部開口を覆う天板10の前端面10ａを外側板8の前部開放端面8ａから突出させて固定し、仏壇本体11の下部に仏具等
【００４３】
請求項2に係る発明においても、
「図１４の正面図」の仏壇本体11の前扉27を閉じた状態を示すように、
仏壇本体11の下段に仏具等の扉付き収納庫11ａを設け、外側板8の上部開口を覆う天板10の外縁を外側板8から突出させて仏壇本体11を固定し、仏具等の扉付き収納庫11ａの上面に天板12を固定し、天板12の外縁を外側板8から突出させ、仏壇本体１１内に設けた底板14の下面との間に盆板13を出し入れ自在に設けている構成は請求項1に係る発明と同じ範疇内の構成である。
【図面の簡単な説明】
【００４４】
【図１】本発明に係る仏壇本体11に前扉17を閉じた状態を示す正面図。
【図２】前扉17を開けた状態を示す正面図。
【図３】前扉17の開閉状態を示す平面図。
【図４】前扉17を閉じた状態を示す背面図。
【図５】同、平面図。
【図６】本発明に係る両側板18示す正面図。
【図７】本発明に係る中央板19を本体19Ａと、辺板19Ｂに分離した状態を示す正面図。
【図８】本体19Ａと辺板19Ｂを連結した中央板19を、両側板18に連結した状態を示す正面図。
【図９】同、背面図。
【図１０】両側板18と中央板19の連結状態を示す背面図。
【図１１】同、底面図。
【図１２】両側板１８と中央板19の連結状態を示す正面図。
【図１３】同、平面図。
【図１４】他の実施例に係る前扉27を仏壇本体11に連結し、前扉27を閉じた状態を示す正面図。
【図１５】同、平面図。
【図１６】前扉27の開閉状態を示す平面図。
【図１７】従来の仏壇の前扉を閉じた状態を示す正面図。
【図１８】従来の仏壇の前扉を開けた状態を示す正面図。
【符号の説明】
【００４５】
8  外側板  8ａ  外側板の前部開放端面  9  上置き板  
9ａ  上置き板の前端面  10,12  天板  11  仏壇本体  
11ａ  仏具等の扉付き収納庫  13  盆板  17,27  前扉
18  両側板  18ｂ  両側板の傾斜部  18ｃ  両側板の段差部
18ｄ  両側板の平板部  15,16,20  枢軸  19  中央板  19Ａ  中央板本体  19Ｂ  中央板の縁板
19ａ  中央板の平板部  19ｃ  中央板の段差部  
19ｄ  中央板の段差部に設けた立ち上がり面  21、22、  24、31  盲孔  
23  突軸  28  一方の側板  28ａ  一方の側板の平板部  
28ｂ  一方の側板の傾斜部  28ｃ  一方の側板の段差部  
29  中央板  29ｃ  中央板の段差部  29ｄ  段差部に設けた立ち上がり面
30  他方の側板  30ａ  他方の側板の平板部  Ｓ  間隔  Ｇ  隙間
【手続補正書】
【提出日】平成27年6月15日(2015.6.15)
【手続補正１】
【補正対象書類名】特許請求の範囲
【補正対象項目名】全文
【補正方法】変更
【補正の内容】
【特許請求の範囲】
【請求項１】
仏壇本体11に観音開きに取り付けた、外側板8の前部開口を覆う前扉17は、
（1）横断面コ字形の枠体で前方を解放した外側板8の上部開口を覆うと共に外側板8に固定した上置き板9と、
（2）上置き板9の上面に上置き板9の占める面積よりも大きな面積を有する天板10を載置して外側板8の前部開放端面から突出させると共に、天板10の突出面隅角部に枢軸16を下向きに突設し、
（3）仏壇本体11の仏具等の扉付き収納庫11ａの上部開口を覆う天板12の上面に外側板8の下端枠を載置すると共に、天板12を外側板8の前部開放端面から突出させ、その突出面隅角部に枢軸15を上向きに突設して枢軸15と枢軸16と同一垂線上に突設し、
（4）両側板18の背面に形成した傾斜部18ｂの途中から中央板19寄りの上下端面を正面視においてＬ型に切欠いて段差部18ｃを形成すると共に、段差部18ｃの中央板19寄りに互いに背向する枢軸20を突設し、
(5)平面視において段差部18ｃから中央板19側へ向けて背面を傾斜部18ｂ
の途中から両側板18の基部よりも肉厚の薄い平板部18ｄに切り欠いて延ばし、
（6）両側板18の上下端面の外縁寄りに盲孔21を穿孔し、天板10に突設した枢軸16と、天板12に突設した枢軸15をそれぞれ嵌挿して両側板18を天板10と天板12間に観音開きに連結し、
（7）中央板19を本体19Ａと、本体19Ａの上下端面に着脱可能に嵌着する縁板19Ｂとから構成すると共に本体19Ａの正面を平板部19ａに形成し、
（8）本体19Ａの上下端面に盲孔22を穿孔し、縁板19Ｂが本体19Ａに対向する面に突設した突軸23を盲孔22に嵌挿して本体19Ａに縁板19Ｂを着脱可能に嵌着し、
（9）縁板19Ｂが本体19Ａの上下端面に対向する面に盲孔24を穿孔し、両側板18の段差部18ｃに突設した枢軸20を盲孔24にそれぞれ嵌挿して両側板18に中央板19を相対的に揺動可能に連結し、
（10）中央板19が両側板18の傾斜部18ｂの下端面と対向する立ち上がり面19ｄを、平面視において背面から半ばまでをＬ型に切り欠いて段差部19ｃを形成し、
（11）両側板18と中央板19が平面視において外側板8の前部開口を閉じたとき、段差部19ｃの立ち上がり面19ｄと両側板18の傾斜部18ｂの下端面とが対向する面との間に間隔Ｓが保持され、且つ間隔Ｓを傾斜部18ｂの先端部と中央板19の段差部19ｃの先端部が重なり合い正面視において仏壇本体の内部が見えないようにしたことを特徴とする、
以上からなる仏壇本体と前扉の連結構造。
【請求項２】
仏壇本体11に観音開きに取り付けた、外側板8の前部開口を覆う前扉27は、
（1）一方の側板28に相対的に揺動可能に連結する中央板29及び、それらの横幅を加えた横幅を有する他方の側板30とから３枚１組で構成し、
（2）縦長矩形板の一方の側板28の上下端面から外縁寄りに沿う方向へ穿孔した盲孔21に、天板10の下面隅角部に下向きに突設した枢軸16を嵌挿すると共に、天板12の上面隅角部に上向きに突設した枢軸15を盲孔21に嵌挿して側板28を天板10と天板12の間に観音開きに連結し、
（3）他方の側板30の上下端面から外側縁に沿う方向へ穿孔した盲孔31に天板10の下面隅角部に下向きに突設した枢軸16を嵌挿すると共に、天板12の上面隅角部に上向きに突設した枢軸15を盲孔31に嵌挿して側板30を天板10と天板12間に観音開きに連結し、
（4）平面視において中央板29が、側板28の背面に形成した傾斜部28ｂの先端面と対向する立ち上がり面29ｄを、背面から半ばまでをＬ型に切り欠いて段差部29ｃを形成し、
（5）平面視において傾斜部28ｂの途中から中央板29側へかけ背面を側板28の基部よりも肉厚の薄い平板部28ｄに切り欠いて延ばすと共に、平板部28ｄの先端部と段差部29ｃの立ち上がり面29ｄ寄りにわたり枢軸20を連通して側板28に中央板29を相対的に搖動可能に連結し、
（6）側板28に連結した中央板29と、他方の側板30が平面視において外側板8の前部開口を閉じたとき、段差部29ｃの立ち上がり面29ｄと傾斜部28ｂの先端が対向する面の間に間隔Ｓが保持され、且つ間隔Ｓを側板28の平板部28ａの先端部と中央板29の段差部29ｃの先端部が重なり合い正面視において仏壇本体の内部が見えないようにしたことを特徴とする、
以上からなる仏壇本体と前扉の連結構造。
【手続補正書】
【提出日】平成27年6月15日(2015.6.15)
【手続補正１】
【補正対象書類名】図面
【補正対象項目名】図３
【補正方法】変更
【補正の内容】
【図３】
2015205118.tif 000021
【手続補正２】
【補正対象書類名】図面
【補正対象項目名】図４
【補正方法】変更
【補正の内容】
【図４】
2015205118.tif 000022
【手続補正３】
【補正対象書類名】図面
【補正対象項目名】図６
【補正方法】変更
【補正の内容】
【図６】
2015205118.tif 000023
【手続補正４】
【補正対象書類名】図面
【補正対象項目名】図８
【補正方法】変更
【補正の内容】
【図８】
2015205118.tif 000024
【手続補正５】
【補正対象書類名】図面
【補正対象項目名】図９
【補正方法】変更
【補正の内容】
【図９】
2015205118.tif 000025
【手続補正６】
【補正対象書類名】図面
【補正対象項目名】図１０
【補正方法】変更
【補正の内容】
【図１０】
2015205118.tif 000026
【手続補正７】
【補正対象書類名】図面
【補正対象項目名】図１６
【補正方法】変更
【補正の内容】
【図１６】
2015205118.tif 000027
【手続補正書】
【提出日】平成27年7月10日(2015.7.10)
【手続補正１】
【補正対象書類名】特許請求の範囲
【補正対象項目名】全文
【補正方法】変更
【補正の内容】
【特許請求の範囲】
【請求項１】
仏壇本体11に観音開きに取り付けた、外側板8の前部開口を覆う前扉17は、
（1）上置き板9は、横断面コ字形の枠体で前方を解放した外側板8の上部開口を覆い、
（2）上置き板9の上面に上置き板9の占める面積よりも大きな面積を有する天板10を載置して外側板8の前部開放端面から突出させると共に、天板10の突出面隅角部に枢軸16を下向きに突設し、
（3）仏壇本体11の仏具等の扉付き収納庫11ａの上部開口を覆う天板12の上面に外側板8の下端枠を載置すると共に、天板12を外側板8の前部開放端面から突出させ、その突出面隅角部に枢軸15を上向きに突設して枢軸15と枢軸16と同一垂線上に突設し、
（4）両側板18の背面に形成した傾斜部18ｂの途中から中央板19寄りの上下端面を正面視においてＬ型に切欠いて段差部18ｃを形成すると共に、段差部18ｃの中央板19寄りに互いに背向する枢軸20を突設し、
(5)平面視において段差部18ｃから中央板19側へ向けて背面を傾斜部18ｂ
の途中から両側板18の基部よりも肉厚の薄い平板部18ｄに切り欠いて延ばし、
（6）両側板18の上下端面の外縁寄りに盲孔21を穿孔し、天板10に突設した枢軸16と、天板12に突設した枢軸15をそれぞれ嵌挿して両側板18を天板10と天板12間に観音開きに連結し、
（7）中央板19を本体19Ａと、本体19Ａの上下端面に着脱可能に嵌着する縁板19Ｂとから構成すると共に本体19Ａの正面を平板部19ａに形成し、
（8）本体19Ａの上下端面に盲孔22を穿孔し、縁板19Ｂが本体19Ａに対向する面に突設した突軸23を盲孔22に嵌挿して本体19Ａに縁板19Ｂを着脱可能に嵌着し、
（9）縁板19Ｂが本体19Ａの上下端面に対向する面に盲孔24を穿孔し、両側板18の段差部18ｃに突設した枢軸20を盲孔24にそれぞれ嵌挿して両側板18に中央板19を相対的に揺動可能に連結し、
（10）中央板19が両側板18の傾斜部18ｂの下端面と対向する立ち上がり面19ｄを、平面視において背面から半ばまでをＬ型に切り欠いて段差部19ｃを形成し、
（11）両側板18と中央板19が平面視において外側板8の前部開口を閉じたとき、段差部19ｃの立ち上がり面19ｄと両側板18の傾斜部18ｂの下端面とが対向する面との間に間隔Ｓが保持され、且つ間隔Ｓを傾斜部18ｂの先端部と中央板19の段差部19ｃの先端部が重なり合い正面視において仏壇本体の内部が見えないようにしたことを特徴とする、
以上からなる仏壇本体と前扉の連結構造。
【請求項２】
仏壇本体11に観音開きに取り付けた、外側板8の前部開口を覆う前扉27は、
（1）一方の側板28に相対的に揺動可能に連結する中央板29及び、それらの横幅を加えた横幅を有する他方の側板30とから３枚１組で構成し、
（2）縦長矩形板の一方の側板28の上下端面から外縁寄りに沿う方向へ穿孔した盲孔21に、天板10の下面隅角部に下向きに突設した枢軸16を嵌挿すると共に、天板12の上面隅角部に上向きに突設した枢軸15を盲孔21に嵌挿して側板28を天板10と天板12の間に観音開きに連結し、
（3）他方の側板30の上下端面から外側縁に沿う方向へ穿孔した盲孔31に天板10の下面隅角部に下向きに突設した枢軸16を嵌挿すると共に、天板12の上面隅角部に上向きに突設した枢軸15を盲孔31に嵌挿して側板30を天板10と天板12間に観音開きに連結し、
（4）平面視において中央板29が、側板28の背面に形成した傾斜部28ｂの先端面と対向する立ち上がり面29ｄを、背面から半ばまでをＬ型に切り欠いて段差部29ｃを形成し、
（5）平面視において傾斜部28ｂの途中から中央板29側へかけ背面を側板28の基部よりも肉厚の薄い平板部28ｄに切り欠いて延ばすと共に、平板部28ｄの先端部と段差部29ｃの立ち上がり面29ｄ寄りにわたり枢軸20を連通して側板28に中央板29を相対的に搖動可能に連結し、
（6）側板28に連結した中央板29と、他方の側板30が平面視において外側板8の前部開口を閉じたとき、段差部29ｃの立ち上がり面29ｄと傾斜部28ｂの先端が対向する面の間に間隔Ｓが保持され、且つ間隔Ｓを側板28の平板部28ａの先端部と中央板29の段差部29ｃの先端部が重なり合い正面視において仏壇本体の内部が見えないようにしたことを特徴とする、
以上からなる仏壇本体と前扉の連結構造。
【手続補正書】
【提出日】平成27年7月10日(2015.7.10)
【手続補正１】
【補正対象書類名】明細書
【補正対象項目名】０００９
【補正方法】変更
【補正の内容】
【０００９】
請求項1に係る発明は、
仏壇本体11に観音開きに取り付けた、外側板8の前部開口を覆う前扉17は、
上置き板9は、横断面コ字形の枠体で前方を解放した外側板8の上部開口を覆い、
上置き板9の上面に上置き板9の占める面積よりも大きな面積を有する天板10を載置し外側板8の前部開放端面8ａから突出させると共に、天板10の突出面隅角部に枢軸16を下向きに突設し、
【手続補正２】
【補正対象書類名】明細書
【補正対象項目名】００４１
【補正方法】変更
【補正の内容】
【００４１】
請求項2に係る発明が請求項1に係る発明と相異する点は、請求項1における上置き板９を省略した点、両側板18を一方の側板28と相対的に揺動可能に連結する中央板29に代えた点、他方の側板30を天板10と天板12の間に観音開きに直接連結するように替えた点である。